(57)【要約】【目的】先筒と基筒の回転操作で、棒状化粧材を先筒の先端開口孔より進退させる繰出機構を備える棒状化粧材繰出機構であり、化粧をする際、棒状化粧材が弾性を有して沈み込み、棒状化粧材の硬柔に関わらず、化粧をしやすくするとともに、棒状化粧材の折れやつぶれを防止する。【構成】先筒１０と回動可能に連結された基筒２０と、内挿された芯チャック部材３０とで構成され、先筒１０と基筒２０との回転操作で前記芯チャック部材３０が軸方向に移動する繰出機構を備え、芯チャック部材３０の先端に保持部３１が設けられ、棒状化粧材Ａが嵌合するとともに、軸部３５にサスペンション部３２ａを形成してなる棒状化粧材繰出容器。【選択図】      図１
2004313539.tif 000002
【特許請求の範囲】
【請求項１】
先筒と基筒との相対回転操作で、内挿された芯チャック部材の先端に連結された棒状化粧材を前記先筒の先端開口孔より進退させる繰出機構を備える棒状化粧材繰出容器であって；
芯チャック部材は単体で構成され、
芯チャック部材の先端には棒状化粧材を保持する保持部が形成されるとともに、この保持部に延設された軸部のいずれかに化粧を施す際に棒状化粧材にかかる圧力によって軸方向に弾性を有して伸縮するサスペンション部を形成したことを特徴とする棒状化粧材繰出容器。
【請求項２】
前記芯チャック部材の保持部に延設する軸部が螺旋帯で連結されて、サスペンション部を形成していることを特徴とする請求項１記載の棒状化粧材繰出容器。
【請求項３】
前記芯チャック部材の軸部後部に当たる円筒体に、鍵状スリットを形成して、サスペンション部としたことを特徴とする、請求項１記載の棒状化粧材繰出容器。
【発明の詳細な説明】
【０００１】
【従来の技術】
棒状化粧材は、現在では眉毛に使用するアイブロウペンシルや、肌に使用するコンシーラー、唇や目の際等、粘膜に使用する口紅やリップライナー、アイライナー等様々な種類が存在し、使用目的や使用部位によって、芯材の径や硬さ、テクスチャーや使用感など、それぞれに異なるものである。特に現在においては、従来の「アイブロウは硬質の細径芯」「リップライナーは粘質の太径芯」といったステレオタイプのみならず、様々な芯径やテクスチャーの製品が使用者の好みやニーズ、または流行によって流通している。
【０００２】
しかしながら、これら芯材はその特徴によりそれぞれ難点を有し、例えば細径な芯材は落下や振動で折れやすいし、固い芯材は使用時に肌につきにくいため、強く押しつけて使用することが多いがそのために折れやすく、反対に柔らかい芯材は強く化粧部位に押しつけると芯材がつぶれてしまう等々、径の太さや硬さ柔らかさで、折れやすかったりつぶれやすかったりと様々な問題が生じやすい。
【０００３】
図７は公開実用新案昭６０−３３９２０号公報に開示される棒状化粧材繰出容器の縦一部断面図を示したものである。この繰出容器は、芯筒１，外筒６，ネジ駒体１５，コイルスプリング１８，板状杆体１４の５部材より構成され、ネジ駒体１５が外筒６内でコイルスプリング１８によって、常時芯筒１側に付勢されていることを特徴としている。
【０００４】
その結果、化粧料（Ａ）に受ける外力を緩和し、折損を防止することを一つの目的としているが、化粧料（Ａ）に対しては、落下や振動等の外力の軸方向の後退方向にはコイルスプリング１８の弾性によって弾性を有するが、前進方向にはコイルスプリング１８が効かないため、透孔２側方向から着地する落下においては化粧料（Ａ）の抜けを防止することは部品点数が多いにもかかわらず対応していなかった。
【０００５】
【発明が解決しようとする課題】
本発明は前記問題に鑑み、棒状化粧材の硬さや柔らかさに左右されずに棒状化粧材が化粧時に軸方向に自然な弾性を有して、化粧時の加圧に対応するとともに、落下や振動に対して軸方向の前後に弾性を有することで、棒状化粧材を保護する繰出容器を最少部材で提供することを目的としている。
【０００６】
【課題を解決するための手段】
そのため、本発明の棒状化粧材繰出容器においては、先筒と基筒との相対回転操作で、内挿された芯チャック部材の先端に連結された棒状化粧材を前記先筒の先端開口孔より進退させる繰出機構を備える棒状化粧材繰出容器であって；
芯チャック部材は単体で構成され、
芯チャック部材の先端には棒状化粧材を保持する保持部が形成されるとともに、この保持部に延設された軸部のいずれかに化粧を施す際に棒状化粧材にかかる圧力によって弾性を有して伸縮するサスペンション部を形成したものである。
【０００７】
第２の発明においては、前記芯チャック部材の保持部に延設する軸部が螺旋帯で連結されて、サスペンション部を形成したものである。
【０００８】
第３の発明においては、前記芯チャック部材の軸部後部に当たる円筒体に、鍵状スリットを形成して、サスペンション部としたものである。
【０００９】
【作用及び効果】
以上の手段を講じることにより、本発明の棒状化粧材繰出容器では、先筒と基筒の回転操作で、繰出機構の作用により、棒状化粧材が先筒の先端開口孔より進出して化粧を施す際、芯チャック部材の保持部に延設される軸部のいずれかの部位に弾性を有するサスペンション部を設けることで、棒状化粧材の先端部に加わる圧力で棒状化粧材が沈み込んで化粧のつきに貢献するとともに、棒状化粧材の折れやつぶれを防止する役目を担う。
【００１０】
さらに、付加的効果として、落下や振動に対し、サスペンション部が柔軟に対応するので、輸送や持ち運びの際の折れや抜け防止にも役立つ。
【００１１】
第２の発明では、芯チャック部材の保持部に延設される軸部に螺旋帯を形成して、サスペンション部としたため、部材を増やすことなく経済的にサスペンション部が形成可能であるとともに、この螺旋帯は、空間部の寸法も太さも厚みも自由に設計できるので、棒状化粧材のテクスチャーにあわせて弾性を調整できる。
【００１２】
第３の発明では、芯チャック部材の後部の円筒体に鍵状スリットを設けて、サスペンションとしたことで、本来の目的であるサスペンション効果とともに、後退限における更なる後退する回動負荷に対し、円筒体に形成した係合突起が雌ねじをクラッチ回転する際に生じる振動を緩和して棒軸部に伝達するので、保持部より棒状化粧材が振動で抜け出すことがなくなる効果を併せ持つ。
【００１３】
【実施の形態】
本発明の実施の形態を、図面に基づき、詳細に説明する。
図１は、本発明における第１の実施の形態を示す棒状化粧材繰出容器１の縦一部断面図である。図２は図１のＡ−Ａ、及びＢ−Ｂ断面を示す断面図で、図３は繰出の上昇限を示す縦一部断面図であり、図４は棒状化粧材繰出容器１に使用される各部材を示した図である。
【００１４】
図４の各部材の主要部に記載された番号によって、棒状化粧材繰出容器１を説明していく。
【００１５】
（１）先筒１０は、先端開口孔１１を備え、貫通孔１５には、芯チャック部材３０の回転止めリブ３４とスプライン係合する摺動溝１２が設けられる。
下部には基筒２０と回動可能に連結される凸部１３が設けられる。
【００１６】
（２）基筒２０は底面２３を有する円筒形をなし、内径には前部に先筒１０に嵌合する環状凹部２１と、軸方向に芯チャック部材３０の係合突起３７と螺合する雌ねじ２２が形成される。
この実施の形態においては、雌ねじはローレット螺旋として、雌ねじ２２が形成されている。
【００１７】
（３）芯チャック部材３０は、前端に棒状化粧材Ａを嵌合可能な腔部を備えた保持部３１が設けられ、これに延設される軸部３５前部が螺旋帯３２によって同じ軸部３５に連結される。
【００１８】
軸部３５は前部が棒軸部３５ａ、後部が前記棒軸部３５ａより大径な円筒体３５ｂにより形成されている。
【００１９】
軸部３５は腔部３８によって内部が中空となり、射出成形金型のコアピンがこの腔部３８を形成している。このコアピンに対して、キャビティ側が螺旋帯３２を形成して、空間部３３を有するサスペンション部分が成立している。
【００２０】
このように芯チャック部材３０は、射出成形金型で、プラスティックで成形されている。
【００２１】
棒状化粧材繰出容器１の作動を説明する。
図１のように組み付けられた棒状化粧材繰出容器１は、先筒１０と基筒２０との回動で、繰出機構が働き、芯チャック部材３０の保持部３１に嵌合された棒状化粧材Ａは、先筒１０の先端開口孔１１より進出し、化粧を施すことを可能とする。
【００２２】
このとき、棒状化粧材Ａの先端にかかる化粧時の加圧は、芯チャック部材のサスペンション部に加わり、空間部３３を縮める方向に働き、この弾性が棒状化粧材Ａの化粧のつきに大きく貢献すると同時に、棒状化粧材Ａの折れやつぶれも防止する。
【００２３】
この螺旋帯３２は、幅や厚みが自由に選択できるので、棒状化粧材のテクスチャーにあわせて弾力が調整できるとともに、部材を増やすことなくサスペンション部が形成できることを特徴としている。
【００２４】
棒状化粧材繰出容器１は、図３に示すように、芯チャック部材３０の円筒体３５Ｂの円筒体前端部３５ｂ’が先筒１０の先筒後端部１４に当接することで、繰出の上昇限を決定している。
【００２５】
更なる回動負荷がかかると、係合突起３７が雌ねじ２２に対してクラッチ回転することで、棒状化粧材Ａと繰出機構の保護機能となっている。
【００２６】
図５は本発明の第２の実施の形態を示す図で、先筒１０及び基筒２０は、第１の実施の形態の棒状化粧材繰出容器１と全く同様な構成のため、先筒１０，基筒２０として説明する。
【００２７】
第２の実施の形態の特徴は、芯チャック部材１３０の円筒体１３５ｂに一対の鍵状スリット１３３を形成してサスペンションとしたことにある。
そのため、腔部１３８は円筒体１３５ｂのみに穿設され、棒軸部１３５ａまで腔部が至っていない。
【００２８】
作動は棒状化粧材繰出容器１と全く同様に、円筒体１３５ｂのスリット１３６間に突設された係合突起１３７が、基筒２０内径のローレット状雌ねじ２２に螺合して、繰出機構を構成するとともに、棒軸部１３５ａの表面に配された回転止めリブ１３４が先筒１０内の摺動溝１２とスプライン係合して回転止め機構を構成するため、先筒１０と基筒２０との回転動作で繰出機構が働き、保持部１３１に嵌合された棒状化粧材Ａが先筒１０の先端開口孔１１より進出して化粧を可能とする。
【００２９】
使用者は化粧をする際、棒状化粧材Ａが芯チャック部材１３０のサスペンション部１３２ａで空間部１３３ａを縮めて沈み込み、適度な反発圧力を棒状化粧材Ａに与えて化粧をしやすいものとする。
【００３０】
図６は、棒状化粧材繰出容器１０１の後退限を示す図であるが、このサスペンション部１３２ａは、後退限における更なる回動負荷に対して、棒軸部１３５ａに振動を与えないため、棒状化粧材Ａが保持部１３１より抜け出す防止手段となる特徴をも有する。
【００３１】
棒状化粧材繰出容器１０１のサスペンション部１３２ａは、一対の鍵状スリット１３３として形成したが、棒状化粧材繰出容器１における螺旋帯３２と同様な螺旋帯を円筒体１３５ｂに形成しても、サスペンション部１３２ａとして同様な効果を生じるものである。
【００３２】
本発明のサスペンション部は、芯チャック部材の保持部より延設される軸部のいずれかに形成されればよいものであり、螺旋帯３２や鍵状スリット１３３によって形成されるサスペンションは、部材を増やすことなく経済的に形成可能であるとともに、ほどよいサスペンション、弾性を棒状化粧材の径やテクスチャーにあわせて調整できる。
【００３３】
さらには、付加的効果として、棒状化粧材繰出容器の落下や輸送の際の振動に対し、前記サスペンション部が保持部に嵌合される棒状化粧材を軸方向の      外的ショックより守るクッションとなり、棒状化粧材の折れや欠損を防止する効果がある。
【００３４】
本発明は、際１の実施の形態及び第２の実施の形態の繰出機構に限定されるものではなく、先筒と基筒の回転操作で、内挿される芯チャック部材の先端に連結された棒状化粧材を、前記先筒の先端開口孔より進退させる繰出機構を備える棒状化粧材繰出容器であれば、本発明の範疇に属するものである。
【００３５】
【図面の簡単な説明】
【図１】本発明の第１実施例の棒状化粧材繰出容器の縦一部断面図である。
【図２】図１におけるＡ−Ａ、及びＢ−Ｂ断面図である。
【図３】図１の棒状化粧材繰出容器の繰上上昇限を示す縦一部断面図である。
【図４】図の棒状化粧材繰出容器の各部材を示す断面図である。
【図５】本発明の第２実施例の棒状化粧材繰出容器の縦一部断面図である。
【図６】図５の棒状化粧材繰出容器の後退限における状態を示す断面図である。
【図７】従来例を示す縦一部断面図である。
【符号の説明】
１・・・  棒状化粧材繰出容器
Ａ・・・  棒状化粧材
１０・・  先筒
１１・・  先端開口孔
１２・・  摺動溝
１３・・  凸部
１４・・  先筒後端部
１５・・  貫通孔
２０・・  基筒
２１・・  環状凹部
２２・・  雌ねじ
２３・・  底面
３０・・  芯チャック部材
３１・・  保持部
３２・・  螺旋帯
３３・・  空間部
３４・・  回転止めリブ
３５・・  軸部
３５ａ・  棒軸部
３５ｂ・  円筒体
３７・・  係合突起
３８・・  腔部
１０１・  棒状化粧材繰出容器
１３０・  芯チャック部材
１３１・  保持部
１３２ａ  サスペンション部
１３３・  鍵状スリット
１３３ａ  空間部
１３４・  回転止めリブ
１３５ａ  棒軸部
１３５ｂ  円筒体
１３６・  スリット
１３７  係合突起
１３８  腔部
【図１】
2004313539.tif 000003
【図２】
2004313539.tif 000004
【図３】
2004313539.tif 000005
【図４】
2004313539.tif 000006
【図５】
2004313539.tif 000007
【図６】
2004313539.tif 000008
【図７】
2004313539.tif 000009